(57)【特許請求の範囲】
【請求項１】
電子機器本体側である固定部と、上記電子機器本体に対してヒンジ手段を介して可動する可動部とがフレキシブル配線フィルムによって電気的に接続され、上記フレキシブル配線フィルムが複数の分岐されたフィルム部分を重ね合わされ上記ヒンジ手段に巻付けられるようにした電子機器において、
上記フレキシブル配線フィルムの重ね合わされるフィルム部分の長さを、内側に位置するフレキシブル配線フィルムの順に短くなるようにし、当該フレキシブル配線フィルムが巻付けられたときの長さの内輪差による弛みを解消するようにしたことを特徴とする電子機器。
【請求項２】
請求項１記載の電子機器において、
上記フレキシブル配線フィルムを１枚のフィルム状シートから形成したことを特徴とする電子機器。
【請求項３】
請求項１記載の電子機器において、
上記ヒンジ手段により上記フレキシブル配線フィルムの曲げ応力を受ける部分では、重ね合わされたフィルム部分以外の一重のフィルム部分が対応するようにしたことを特徴とする電子機器。
【請求項４】
請求項１記載の電子機器において、
上記フレキシブル配線フィルムの折曲げられたフィルム部分が、上記ヒンジ手段の回動による応力の伝わらない位置にあることを特徴とする電子機器。
【発明の詳細な説明】
【０００１】
【発明の属する技術分野】
本発明は、例えば外付けされ回動する方式の液晶表示パネルを備えたビデオカメラ装置等に適用して好適な電子機器に関し、詳しくは固定部であるビデオカメラ本体部と可動部である液晶表示パネルとを電気的に接続するためのフレキシブル配線フィルムに係わるものである。
【０００２】
【従来の技術】
従来、この種の液晶表示パネルはビデオカメラ本体部に２軸ヒンジ機構によって接続され、ビデオカメラ本体部に対して液晶表示パネルが直立位置に起立回動すると共に、旋回動作可能にできるように構成されたものがある。そして、ビデオカメラ本体部と液晶表示パネルは２軸ヒンジ機構を経由するフレキシブル配線フィルム（以下、フレキフィルムという）によって電気的に接続されている。
【０００３】
ここで、図８に従来のフレキシブル配線フィルムの展開状態の平面図を示す。
フレキフィルムは１枚のフィルム状シートから形成され、その一端側がビデオカメラ本体部側に接続される比較的幅の有るフレキ部１であり、その先端部が接続端子部１ａである。また、フレキフィルムの他端側が液晶表示パネル側に接続される幅の有るフレキ部２であり、その先端側が接続端子部２ａである。
【０００４】
フレキ部１とフレキ部２の間は細幅状に分岐した３枚の並行する帯状フレキ部３ａ，３ｂ、３ｃからなり、各帯状フレキ部３ａ，３ｂ，３ｃはそれぞれ等しい長さＳにされ、フレキフィルム全体の形状としてほぼカギ形を有し、ここでは図示しないがフレキフィルムには配線パターンが形成されている。
【０００５】
また、フレキ部１側の帯状フレキ部３ａ，３ｂのコーナー部上面には剥離紙で保護された接着剤層４ａ，４ｂが形成されていると共に、帯状フレキ部３ａ，３ｂの分岐部分に剥離紙で保護された接着剤層４ｃが形成されている。フレキ部２側の帯状フレキ部３ａ，３ｂにも剥離紙で保護された接着剤層５ａ，５ｂが形成されている。尚、仮想線で示した部分はフレキフィルムの折曲部６を示す。
【０００６】
上述したフレキフィルムは使用に際して、３枚に分岐した帯状フレキ部３ａ，３ｂ，３ｃが重ね合わされて接着される。すなわち、剥離紙を剥がした状態において帯状フレキ部３ａのコーナー部の接着剤層４ａ上に帯状フレキ部３ｂのコーナー部を接着し、この帯状フレキ部３ｂのコーナー部の接着剤層４ｂ上に帯状フレキ部３ｃのコーナー部が接着される。続いて、帯状フレキ部３ａの接着剤層５ａ上に帯状フレキ部３ｂが接着され、この帯状フレキ部３ｂの接着剤層５ｂ上に帯状フレキ部３ｃが接着される。
【０００７】
これによって、３枚の帯状フレキ部３ａ，３ｂ，３ｃが重ね合わされた状態で一体化され、その後、折曲部６を折り曲げることでフレキフィルムが図９に示すように形成される。
【０００８】
かくして、フレキフィルムはフレキ部２の接続端子部２ａを液晶表示パネル側のコネクタに接続した後、重ね合わされた帯状フレキ部３ａ，３ｂ，３ｃを２軸ヒンジ機構の回転軸に複数回巻き付け、フレキ部１の接続端子部１ａをビデオカメラ本体部側のコネクタに接続する。
【０００９】
【発明が解決しようとする課題】
ところで、上述した従来のフレキフィルムは、帯状フレキ部３ａ，３ｂ，３ｃがそれぞれ等しい長さにされ重ね合わされたものであるため、図１０に示すように２軸ヒンジ機構の回転軸１０に巻付けると、内面側の帯状フレキ部３ａと外面側の帯状フレキ部３ｃとに長さの内輪差が発生し、この結果、巻付けられた帯状フレキ部の最終端部に弛み部７が生じてしまうといった問題がある。
【００１０】
また、回転軸１０に巻付けられた帯状フレキ部は、２軸ヒンジ機構をカバーする外筐体の一部の筒部１１で保護されるものであるが、従来では上述したような弛み部７も同時に保護する必要があるため筒部１１を小型化することが困難となり、必然的に２軸ヒンジ機構をカバーする外筐体が大きくならざるを得なかった。
【００１１】
また、従来のフレキフィルムは２軸ヒンジ機構の回動に伴って屈曲する部分が重ね合わされた帯状フレキ部分であるので、大きな曲げ応力を受けやすくフレキフィルムの破損の原因となる。特に、フレキ部の弛み部７は曲げ応力を受けると破損の危険も高い。さらに、フレキフィルムの折曲部に曲げ応力が生じることは破損の危険が高く、この点、従来のフレキフィルムは折曲部に曲げ応力が伝わらない構成にはなっていなかった。
【００１２】
本発明は、上述したような課題を解消するためになされたもので、ヒンジ機構に巻付けられたフレキフィルムに弛みが生じることがなく、外筐体の小型化を図ることができ、かつ曲げ応力に対しても破損の生じにくいフレキフィルムを有する電子機器を得ることを目的とする。
【００１３】
【課題を解決するための手段】
上述の目的を達成するため、本発明による電子機器は、フレキシブル配線フィルムの複数の重ね合わされた帯状部がヒンジ手段に巻付けられるようにした電子機器において、フレキシブル配線フィルムの重ね合わされる部分の長さを、内側に位置するフレキシブル配線フィルムの順に短くなるようにし、巻付けられたときの長さの内輪差を解消するようにしたものである。
【００１４】
【発明の実施の形態】
以下、本発明による電子機器の実施の形態を液晶表示パネルを有するビデオカメラ装置に適用したフレキシブル配線フィルムを例にとって図面を参照して説明する。
【００１５】
図１は外付け式の液晶表示パネルを有するビデオカメラ装置の外観斜視図である。
【００１６】
図１において、ビデオカメラ本体部２０に対して液晶表示パネル２１は２軸ヒンジ機構部２２によって結合され、液晶表示パネル２１を図に示すように直立位置に起立回動したり、また、パネル表示面２１ａを反転可能に旋回動作できるように構成されている。尚、２３はビデオカメラ本体部２０に搭載した電子ビューファインダーである。
【００１７】
図２はビデオカメラ本体部２０と液晶表示パネル２１とを２軸ヒンジ機構部２２を経由して電気的に接続しているフレキシブル配線フィルム（以下、フレキフィルムという）の展開状態の平面図であり、図８で説明した従来のフレキフィルムと同一部分には同じ符号を付して説明する。
【００１８】
フレキフィルムは１枚のフィルム状シートから形成され、その一端側がビデオカメラ本体部側に接続される比較的幅の有るフレキ部１であり、その先端部が接続端子部１ａである。また、フレキフィルムの他端側が液晶表示パネル側に接続される幅の有るフレキ部２であり、その先端部が接続端子部２ａである。
【００１９】
フレキ部１とフレキ部２の間は細幅状の３枚の並行する帯状フレキ部３ａ，３ｂ、３ｃとなって分岐されている。各帯状フレキ部３ａ，３ｂ，３ｃの一端側（図２において下端側）は直角に曲げられ、引出し用帯状フレキ部３０ａ，３０ｂ，３０ｃとなってフレキ部１に連がっている。また、各帯状フレキ部３ａ，３ｂ，３ｃの他端側（図２において上端側）は直角に曲げられ、引出し用帯状フレキ部３１ａ，３１ｂ，３１ｃとなってフレキ部２に連がっている。
【００２０】
さて、帯状フレキ部３ａ，３ｂ，３ｃはそれぞれ長さが段階的に異なっている。帯状フレキ部３ａより帯状フレキ部３ｂが長く、この帯状フレキ部３ｂより帯状フレキ部３ｃが長く形成されている。つまり、各帯状フレキは３ａ＜３ｂ＜３ｃとなっており、フレキフィルム全体の形状としてほぼカギ形を有し、フレキフィルムには図示しないが配線パターンが形成されている。
【００２１】
フレキ部１側の帯状フレキ部３ａ，３ｂのコーナー部上面には剥離紙で保護された接着剤層４ａ，４ｂが形成されていると共に、引出し用帯状フレキ部３０ａ，３０ｂの分岐部分に剥離紙で保護された接着剤層４ｃが形成されている。また、フレキ部２側の引出し用帯状フレキ部３１ａ，３１ｂにも剥離紙で保護された接着剤層５ａ，５ｂが形成されている。尚、仮想線で示した部分はフレキフィルムの折曲部６を示す。
【００２２】
上述したフレキフィルムは使用に際して、３枚に分岐した帯状フレキ部３ａ，３ｂ，３ｃが重ね合わされて接着される。すなわち、剥離紙を剥がした状態において帯状フレキ部３ａのコーナー部の接着剤層４ａ上に帯状フレキ部３ｂのコーナー部を接着し、この帯状フレキ部３ｂのコーナー部の接着剤層４ｂ上に帯状フレキ部３ｃのコーナー部が接着される。続いて、引出し用帯状フレキ部３１ａの接着剤層５ａ上に引出し用帯状フレキ部３１ｂが接着され、この引出し用帯状フレキ部３１ｂの接着剤層５ｂ上に引出し用帯状フレキ部３１ｃが接着される。
【００２３】
これによって、３枚の帯状フレキ部３ａ，３ｂ，３ｃが重ね合わされた状態で一体化され、その後、折曲部６を折り曲げることでフレキフィルムが図３に示すように形成される。従って、重ね合わされた３枚の帯状フレキ部３ａ，３ｂ，３ｃは、図４に示すように最下部の帯状フレキ部３ａが緊張するのに対してその上の帯状フレキ部３ｂはやや弛んだ状態となり、最上部の帯状フレキ部３ｃはさらに弛んだ状態となる。
【００２４】
上述したフレキフィルムは図５に示すように最下部の帯状フレキ部３ａを内側にして２軸ヒンジ機構部２２の回転軸２４に複数回巻き付け、フレキ部２側の重なり合っている引出し用帯状フレキ部３１ａ，３１ｂ，３１ｃを回動側のブラケット２５に接着テープ２６により固定する。また、フレキ部１側に重なり合っている引出し用帯状フレキ部３０ａ，３０ｂ，３０ｃと共に、フレキ部１を２軸ヒンジ機構部２２の下面側から引き出される。
【００２５】
このようにしてフレキフィルムが支持された２軸ヒンジ機構部２２に半割り状の外筐体２７，２８を上下から合体して取り付ける。外筐体２７，２８を取付けた状態を図６に示す。このとき、外筐体２７，２８の筒体２７ａ，２８ａにより回転軸２４に巻付けられた帯状フレキ部３ａ，３ｂ，３ｃが保護される。
【００２６】
この後、２軸ヒンジ機構部２２がビデオカメラ本体部側に取付けられると共に、フレキ部１の接続端子部１ａが本体側のコネクタに接続される。また、ブラケット２５が液晶表示パネル側に取付けられると共に、フレキ部２がパネル側のコネクタに接続される。
【００２７】
かくして、２軸ヒンジ機構部２２の回転軸２４に巻付けられた帯状フレキ部３ａ，３ｂ，３ｃは、各帯状フレキ部が３ａ＜３ｂ＜３ｃの長さ関係となっていることから、図７に示すように最下部の帯状フレキ部３ａを内側にして回転軸２４に巻付けたとき、重なり合っている３枚の帯状フレキ部３ａ，３ｂ，３ｃに内輪差による弛みが生じることが無くなる。つまり、３枚の帯状フレキ部３ａ，３ｂ，３ｃは、回転軸２４に巻付けたときに内輪差が発生しないような長さとなるような関係に設計されている。このような帯状フレキ部３ａ，３ｂ，３ｃとすることにより、回転軸回りをカバーする筒体２７ａ，２８ａを小さくでき、外筐体全体としての小型化を図ることができるといった利点がある。
【００２８】
また、２軸ヒンジ機構部の回転軸２４に巻付けられた帯状フレキ部３ａ，３ｂ，３ｃに弛み部が発生しないことから、ブラケット２５と共に回転軸２４の回転動作に伴う帯状フレキ部の繰り返しの変形応力に対しても何等影響はない。
【００２９】
また、図６に示したように２軸ヒンジ機構部の可動する部分ではフレキフィルムの重ね合わせ部を２軸ヒンジ機構部と外筐体とで固定し、それ以外の一重の部分１ｂが対応するようにされているので、フレキフィルムに加わる応力を少なくすることができる。
【００３０】
また、２軸ヒンジ機構部の可動部から離れた位置に曲げ応力に弱いフレキフィルムの折曲部６が配置されていることから、可動部に伴う曲げ応力がフレキフィルムの折曲部６に伝わることもない。
【００３１】
本発明は、上述しかつ図面に示した形態に限定されるものでなく、その要旨を逸脱しない範囲内で種々の変形実施が可能である。
【００３２】
本発明では３枚に重なり合わせた帯状フレキ部の場合について説明したが、その他、２枚以上の複数のフレキフィルムが重なり合う場合に広く適用できることは言うまでもない。
【００３３】
また、本発明の例ではフレキフィルムをビデオカメラ本体部１と液晶表示パネル２とを２軸ヒンジ機構部を経由して電子的に接続した場合について説明したが、その他、ビデオカメラ装置以外、電子機器本体部である固定部とヒンジ手段を介して可動する可動部とが電気的に接続されるフレキフィルムにも広く適用可能である。
【００３４】
【発明の効果】
以上説明したように本発明の電子機器は、複数のフレキフィルムを重なり合わせた状態でヒンジ手段の一部に巻付けたときの内輪差が発生しないような長さとなるような関係にしたことにより、フレキフィルムに内輪差による弛みの発生もなく、フレキフィルムを小さく巻付けることができる。これによって、巻付けられたフレキフィルムを保護するカバーの径を小さくでき、小型化を図ることができるといった効果がある。
【００３５】
また、フレキフィルムに内輪差による弛みが生じないことから、曲げ応力による破損の影響もなく信頼性の高いフレキフィルムを有する電子機器となる。
【図面の簡単な説明】
【図１】本発明の電子機器の一例となる液晶表示パネルを備えたビデオカメラ装置の外観斜視図である。
【図２】本発明によるフレキシブル配線フィルムの展開状態の平面図である。
【図３】同じく帯状フレキ部を重ね合わせて一体化した平面図である。
【図４】同じく帯状フレキ部を重ね合わせて一体化した側面図である。
【図５】フレキシブル配線フィルムを２軸ヒンジ機構部に取付けた斜視図である。
【図６】２軸ヒンジ機構部を外筐体でカバーした斜視図である。
【図７】帯状フレキ部の巻付け状態の拡大図である。
【図８】従来のフレキシブル配線フィルムの展開状態の平面図である。
【図９】同じく従来の帯状フレキ部を重ね合わせて一体化した平面図である。
【図１０】同じく従来の帯状フレキ部の巻付け状態の拡大図である。
【符号の説明】
１，２  フレキ部、１ａ，２ａ  接続端子部、３ａ，３ｂ，３ｃ  帯状フレキ部、４ａ，４ｂ，４ｃ，５ａ，５ｂ  接着剤層、６  折曲部、２０  ビデオカメラ本体部、２１  液晶表示パネル、２２  ２軸ヒンジ機構部、２４  回転軸、２５  ブラケット、２６  テープ、２７ａ，２８ａ  外筐体の筒体、３０ａ〜３０ｃ，３１ａ〜３１ｃ  引出し用帯状フレキ部
【図１】
0003843531.tif 000002
【図２】
0003843531.tif 000003
【図３】
0003843531.tif 000004
【図４】
0003843531.tif 000005
【図５】
0003843531.tif 000006
【図６】
0003843531.tif 000007
【図７】
0003843531.tif 000008
【図８】
0003843531.tif 000009
【図９】
0003843531.tif 000010
【図１０】
0003843531.tif 000011